(57)【特許請求の範囲】
【請求項１】
種子が混合された土砂を第１の容器に入れて種子から根を伸ばして根マットを形成する第１の工程と、
第２の容器に入れられた土砂の表面に前記根マットを載せ、前記根マットの根を前記第２の容器の土砂内に伸ばして根絡みマットを形成する第２の工程と、
第３の容器に入れられた土砂の表面に載せられたコケ植物の上に、前記第２の工程において形成された根絡みマットを載せる第３の工程と、
前記第３の工程において前記コケ植物の上に載せられた根絡みマットの根を前記コケ植物に絡ませる第４の工程と、
前記第４の工程において前記コケ植物に前記根を絡ませた前記根絡みマットから、前記種子から伸び出した芽をカット又は枯らし、前記コケ植物が前記根絡みマットに固定されたコケ植物マットを形成する第５の工程と、
を含むことを特徴とするコケ植物マットの製造方法。
【請求項２】
前記コケ植物は、蘚類のキホウシゴケ科のハイゴケ、蘚類のスナゴケ科のスナゴケ、又は蘚類のシノブゴケ科のシノブゴケである、ことを特徴とする請求項１に記載のコケ植物マットの製造方法。
【発明の詳細な説明】
【０００１】
【発明の属する技術分野】
本発明は、無機質面の緑化工法に使用されるコケ植物マットの製造方法に関する。
【０００２】
【従来の技術】
従来、建設工事において、岩盤面を掘削したり、勾配の小さな斜面にコンクリート等を吹き付けて斜面を無機質のまま放置したりしている。また、斜面の変状が起こるところでは、コンクリートパネルをアンカーで地盤に押しつけて安定化させている。このような方法で処理された斜面は、その植生に問題があった。
【０００３】
このような斜面を緑化する緑化工法としては、例えば、図８（Ａ）に示すように、斜面１４１に土砂を入れるための法枠１５１を配置し、その枠内１５２に土砂を入れ、枠内１５２で草１５３を植生して斜面１４１を緑化する緑化工法があった。
【０００４】
また、斜面１４１を緑化する緑化工法としては、図８（Ｂ）に示すように、斜面１４１の下部にコンクリート製の槽１５４を設け、そこに草１５３や木１５５を植生して斜面１４１を緑化する緑化工法もあった。また、他には、斜面１４１の下部又は上部に土がある場合、そこから植物を這わせて斜面１４１を緑化する緑化工法もあった。
【０００５】
また、上述したコンクリート製の槽１５４に植生して斜面１４１を緑化する緑化工法は、都市の道路や鉄道の近傍に立地しているコンクリート構造物等のような直立の壁面における緑化工法としても用いられている。例えば、図８（Ｃ）に示すように、直立の壁面１６１の下方に槽１５４を設置し、槽１５４内に草１５３や木１５５を植生して直立の壁面１６１を緑化する緑化工法である。なお、この緑化工法においては、槽１５４が使用される代わりに、プランター又はパレット等が使用される場合もある。
【０００６】
【発明が解決しようとする課題】
しかしながら、上述したような従来の緑化工法では、草１５３や木１５５を生育させるのに時間がかかるため、斜面１４１や直立の壁面１６１を緑化するのに時間がかかるという課題があった。
【０００７】
また、従来の緑化工法では、草１５３や木１５５への肥料の補給や刈り込み等の維持を必要とするという課題があった。
【０００８】
本発明は、上述した課題に鑑みてなされたものであり、緑化するのに時間及び維持費のかからない、無機質面の緑化工法に使用されるコケ植物マットの製造方法を提供することをも目的とする。
【００１５】
【課題を解決するための手段】
上記課題を解決するために、請求項１に記載のコケ植物マットの製造方法は、種子が混合された土砂を第１の容器に入れて種子から根を伸ばして根マットを形成する第１の工程と、第２の容器に入れられた土砂の表面に前記根マットを載せ、前記根マットの根を前記第２の容器の土砂内に伸ばして根絡みマットを形成する第２の工程と、第３の容器に入れられた土砂の表面に載せられたコケ植物の上に、前記第２の工程において形成された根絡みマットを載せる第３の工程と、前記第３の工程において前記コケ植物の上に載せられた根絡みマットの根を前記コケ植物に絡ませる第４の工程と、前記第４の工程において前記コケ植物に前記根を絡ませた前記根絡みマットから、前記種子から伸び出した芽をカット又は枯らし、前記コケ植物が前記根絡みマットに固定されたコケ植物マットを形成する第５の工程と、を含むことを特徴とする。コケ植物としては、予め生育させたコケ植物を使用してもよく、コケ植物の葉緑体を使用してもよい。
【００１６】
請求項１に記載のコケ植物マットの製造方法においては、第１の容器に入れられた土砂に混合された種子から根が伸び出して、根マットが形成される。その後、第２の容器に入れられた土砂の表面に根マットが載せられ、根マットの根が第２の容器の土砂内に伸びて、根絡みマットが形成される。その後、第３の容器に入れられた土砂の表面に載せられたコケ植物の上に、形成された根絡みマットが載せられる。そうすると、根絡みマットの根に、コケ植物が絡まれる。そして、コケ植物が根に絡まれた根絡みマットから、種子から伸び出した芽をカット又は枯らし、コケ植物が前記根絡みマットに固定されたコケ植物マットが形成される。種子は、コケ植物を絡ませるための根のみが必要であるため、肥料の補給、刈り込み等の維持を必要としない。
【００１９】
請求項２に記載のコケ植物マットの製造方法は、請求項１に記載のコケ植物マットの製造方法において、コケ植物は、蘚類のキホウシゴケ科のハイゴケ、蘚類のスナゴケ科のスナゴケ、又は蘚類のシノブゴケ科のシノブゴケである、ことを特徴とする。
【００２４】
【発明の実施の形態】
以下、本発明の無機質面の緑化工法の参考実施形態である、コンクリート等の無機質で、凹凸の少ない斜面（以下、単に斜面と称する）の緑化工法について、添付の図面を参照して説明する。図１は、参考実施形態の斜面の緑化工法を説明する工程図であり、図２は、参考実施形態の斜面の緑化工法に使用される吹付装置を示す図である。
【００２５】
まず、図１（Ａ）に示すように、参考実施形態の無機質面である斜面１に、後述する基盤形成材の付着基盤としてのからみ材１１が設けられる。からみ材１１は、突起を有する鉄筋や釘等である。また、付着基盤としては、ラス網を使用してもよく、地盤によっては目串等を使用してもよい。
【００２６】
次に、図１（Ｂ）に示すように、からみ材１１が設けられた斜面１に、芝の種子１２が混合された、基盤形成材としての土砂１３が吹き付けられる。土砂１３には、軽石、スコリヤ、ゼオライト、活性炭、モンモリロライト、アタパルジャイト、又はバーミキュライト等の保水性の高い材料を混合させてもよい。また、土砂１３が、からみ材１１に、より絡みつき易くするために、土砂１３にさらに人工繊維又は天然繊維を混合させてもよい。このような、芝の種子１２が混合された土砂１３の吹き付けの際には、図２に示す、特開平９−４１９７３号公報に開示されている吹付装置３１が使用される。
【００２７】
即ち、土砂１３に芝の種子１２が混合されて圧送ポンプ４１に投入される。そして、圧送ポンプ４１に、コンプレッサ４２からエアが圧送され、芝の種子１２が混合された土砂１３が、圧送ホース４３を介して、先端の吹付ノズル４４から斜面１に吹き付けられる。この時、水槽４８に蓄えられている水が、水ホース４９を介して吹付ノズル４４に送られ、芝の種子１２が混合された土砂１３に水が混入されて、斜面１に吹き付けられる。なお、芝の種子１２が混合された土砂１３に、人工繊維又は天然繊維を混合させる際には、人工繊維又は天然繊維が、繊維の送り出し機４５から給糸装置４６に送られる。そして、コンプレッサー４２からエアが給糸装置４６に圧送され、給糸装置４６から人工繊維又は天然繊維が繊維供給管４７に送られ、その先端から吐出される。吐出された人工繊維又は天然繊維は、吹付ノズル４４の出口で土砂１２に合流しながら、斜面１に吹き付けられる。このようにして、芝の種子１２が混合された土砂１３（人工繊維又は天然繊維を混入させてもよい）が、斜面１に吹き付けられる。
【００２８】
そして、図１（Ｃ）に示すように、芝の種子１２が混合された土砂１３が吹き付けられて形成された基盤層２０の上部（以下、基盤面２１とも称する）に、予め生育させたコケ植物（以下、単にコケと称する）（の葉緑体）２２のかたまりがばらされ、ゼオライト、石灰炭、又は活性炭等の保水材２３が混合されて、吹き付けられる。この吹き付けの際にも、上述した吹付装置３１が使用される。即ち、保水材２３が混合されたコケ２２が圧送ポンプ４１に投入される。圧送ポンプ４１には、コンプレッサ４２よりエアが圧送され、保水材２３が混合されたコケ２２が、圧送ホース４３を介して吹付ノズル４４から基盤面２１に吹き付けられる。このように、基盤面２１にコケ２２が吹き付けられており、コケ２２が土砂１３に覆われることがないので、コケ２２は成長することができる。
【００２９】
なお、吹き付けるコケ２２には、斜面１が東から南，西斜面の場合には、日差しに強く、乾燥にも強いコケが適している。これには、例えば、蘚類であるキボウシゴケ科のスナゴケが挙げられる。スナゴケが適している理由は、スナゴケの葉の先端部がすべて透明尖になっており、強い光を透過させることができるためと、葉身細胞が数多くの透明な突起物で覆われており、光を分散させることができるためである。また、斜面１が、比較的太陽が当たらない北斜面の場合には、日照量の少ない、湿度の高い場所でも生育することのできるコケが適している。これには、例えば、蘚類であるハイゴケ科のハイゴケ又はシノブゴケ科のシノブゴケが挙げられる。ハイゴケが適している理由は、ハイゴケが腐食土壌や砂地等の日照量の少ない場所に厚い群落をつくりやすいためであり、シノブゴケが適している理由は、シノブゴケが腐食土壌や風化した岩上等に生育しやすく、半日陰地から日陰地であって湿度の高い場所に生育しやすいためである。
【００３０】
その後、時間の経過と共に、図１（Ｄ）に示すように、芝の種子１２から芽１２ａが発芽し、その根１２ｂが基盤層２０中に伸び出してくる。この根１２ｂに基盤面２１に吹き付けたコケ２２が絡まれ、コケ２２が基盤層２０に固定される。基盤層２０に固定されたコケ２２は、基盤層２０が斜面１に固定されているため、斜面１に固定されることになり、雨風にも耐えられる状態となる。コケ２２は、上述したようなコケ植物の特性により、コケ２２が固定された斜面１においては、各段階の遷移相の生態系が復元、回復、改善される。なお、芝の種子１２から発芽した芽１２ａはある程度になれば不必要となるので、基盤層２０中に肥料を入れる必要はない。
【００３１】
以上のように、参考実施形態の斜面１の緑化工法によれば、芝の種子１２を混合した土砂１３を斜面１に吹き付けることにより基盤層２０を形成し、その後、基盤面２１にコケ２２を吹き付け、芝の種子１２から伸び出した根１２ｂを予め生育させたコケ２２に絡ませるため、コケ２２が基盤層２０に固定され、時間をかけずに斜面１を緑化することができる。
【００３２】
また、参考実施形態の斜面１の緑化工法によれば、コケ２２を芝の根１２ｂに絡ませるため、芝の種子１２から発芽した芽１２ａは必要とされず、肥料の補給、刈り込み等の維持を必要としないので、維持費がかからない。
【００３３】
さらに、参考実施形態の斜面１の緑化工法によれば、斜面１に固定された、厚みと空洞を有するコケ２２のクッション効果により、斜面１の周囲で発生した音がコケ２２に吸収されるため、防音を図ることができ、防音壁として使用することもできる。
【００３４】
さらに、参考実施形態の斜面１の緑化工法によれば、斜面１にコケ２２が固定されているため、各段階の遷移相の生態系を復元、回復、改善することができる。
【００３５】
なお、参考実施形態の斜面１の緑化工法においては、コケ２２を絡ませるのに、芝の種子１２を使用したが、これに限らず、稲の種子（籾）等、地下で根が成長する種子であれば使用することができる。
【００３６】
次に、本発明の無機質面の緑化工法の参考実施形態である、鉄道や道路の近傍に直立したコンクリート構造物等のように、無機質な直立の壁面（以下、単に直立壁面と称する）の緑化工法について、添付の図面を参照して説明する。図３乃至図６は、参考実施形態の直立壁面の緑化工法を説明する図である。図３は、参考実施形態の直立壁面の緑化工法に使用される本発明の実施の形態に係るコケマットの製造方法を説明する工程図であり、図４はコケマットの他の製造方法を説明する工程図である。
【００３７】
まず、図３（Ａ）に示すように、育苗パレット５１に稲の種子５２が混合された土砂５３が入れられる。時間が経過すると、図３（Ｂ）に示すように、稲の種子５２から芽５２ａが発芽し、根５２ｂが土砂５３中に伸びる。このようにして根マット６１が形成される。その後、育苗パレット５１から根マット６１が取り出され、図３（Ｃ）に示すように、別の育苗パレット５１’の土砂５３’の上に、根マット６１が載せられる。そうすると、稲の種子５２から伸び出した根５２ｂが、土砂５３’の中に伸びて、根絡み５２ｂ’がつくられ、分厚い根絡みマット６２が形成される。
【００３８】
そして、育苗パレット５１’から根絡みマット６２が取り出され、図３（Ｄ）に示すように、さらに別の育苗パレット５１’’に入れられた土砂５３’’の上に、予め成育させたコケ植物（以下、単にコケと称する）（の葉緑体）２２が載せられ、その上に、根絡みマット６２が載せられる。そうすると、稲の根絡み５２ｂ’がコケ２２をつつんでさらに根絡みを起こし根絡み５２ｂ’’が形成され、コケ２２が稲の根絡み５２ｂ’’に絡まれ、固定される。このような稲の根絡み５２ｂ’’が形成されたら、図３（Ｅ）に示すように、育苗パレット５１’’から根絡みマット６２が取り出され、天地逆転される。その後、図３（Ｆ）に示すように、根絡みマット６２が乾燥され、稲の芽５２ａが枯らされるか、点線ａに示すようにカットされる。このようにして、図３（Ｇ）に示すように、コケ２２が根絡みマット６２に固定されたコケマット７１が完成する。完成したコケマット７１は、稲の根絡み５２ｂ’’に絡まれたコケ２２が、平板状の土砂５３’’の表面に固定されて形成されている。
【００３９】
なお、上述したコケマット７１の製造方法においては、育苗パレット５１で形成した根マット６１を育苗パレット５１’の土砂５３’の上に載せて、根絡みマット６２を形成したが、育苗パレット５１で、根５２ｂを絡ませて根絡みマットを形成し、形成した根絡みマットを育苗パレット５１’の土砂５３’の上に載せて、根絡みを起こさせて根絡みマット６２を形成してもよい。また、育苗パレット５１で根５２ｂを絡ませて根絡みマットを形成し、形成した根絡みマットを直接、育苗パレット５１’’の土砂５３’’の表面に載せられたコケ２２の上に載せてもよい。
【００４０】
また、土砂５３，５３’，５３’’に、軽石、スコリヤ、ゼオライト、活性炭、モンモリロライト、アタパルジャイト、バーミキュライト、又は高分子樹脂等の保水性の高い材料を混合させてもよい。また、土砂５３，５３’，５３’’に、保水材を混合させてもよい。さらに、根マット６１と砂５３’との間に、ジオテキスタイルを挟み込み、根絡みマット６２の強度を上げてもよい。
【００４１】
また、上述したコケマット７１の製造方法以外にも、図４に示すようにしてコケマットを製造してもよい。即ち、図４（Ａ）に示すように、予め、育苗パレット８１の底に蒔かれた稲の種子５２上に土砂５３が入れられ、土砂５３の上に、予め生育させたコケ２２が載せられる。そうすると、図４（Ｂ）に示すように、稲の種子５２から稲の芽５２ａが発芽し、土砂５３中に稲の根が伸び、伸びた稲の根が根絡み５２ｂ’’を起こし、土砂５３の表面に載せられているコケ２２に絡み、コケ２２が固定された根絡みマット９１が形成される。そして、図４（Ｃ）に示すように、稲の芽５２ａが、点線ｂに示すようにカットされる。その後、図４（Ｄ）に示すように、育苗パレット８１から根絡みマット９１が取り出され、乾燥され、稲の芽５２ａが枯らされてコケマット１０１が完成する。完成したコケマット１０１は、稲の根絡み５２ｂ’’に絡まれたコケ２２が、土砂５３の表面に固定されて形成されている。
【００４２】
なお、上述したコケマット１０１の製造方法においては、コケ２２が固定された根絡みマット９１から稲の芽５２ａをカットした後、育苗パレット８１から根絡みマット９１を取り出して、乾燥させて稲の芽５２ａを枯らせたが、育苗パレット８１から根絡みマット９１を取り出した後に、乾燥させて稲の芽５２ａをカットしたり、枯らしたりしてもよい。また、コケマット７１の製造方法において述べたように、土砂５３に、軽石、スコリヤ、ゼオライト、活性炭、モンモリロライト、アタパルジャイト、バーミキュライト、又は高分子樹脂等の保水性の高い材料を混合させてもよい。
【００４３】
このようにして完成されたコケマット７１，１０１が複数用意され、図５（Ａ）に示すように、直立壁面１１１に設置されたパネル１２１に接着材で取り付けられる。また、図５（Ｂ）に示すように、直立壁面１１１に設置されたパネル１２１に複数のコケマット７１，１０１をビス１２２等を用いて取り付けてもよい。また，コケマット７１，１０１をネットに取り付けて、直立壁面１１１に設置されたパネル１２１に固定するようにしてもよい。
【００４４】
このようにして、直立壁面１１１に設置されたパネル１２１に取り付けられたコケマット７１，１０１のコケ２２は、上述したようなコケ植物の特性により、コケマット７１，１０１が設置された直立壁面１１１においては、各段階の遷移相の生態系が復元、回復、改善される。
【００４５】
なお、使用されるコケ２２には、直立壁面１１１が東から南，西側の壁の場合には、日差しに強く、乾燥にも強いコケが適している。これには、上述した理由により、例えば、蘚類であるキボウシゴケ科のスナゴケが挙げられる。また、直立壁面１１１が、比較的太陽が当たらない北側の壁の場合には、日照量の少ない、湿度の高い場所で生育する高いコケが適している。これには、上述した理由により、例えば、蘚類であるハイゴケ科のハイゴケ又はシノブゴケ科のシノブゴケが挙げられる。
【００４６】
コケ２２は本来給水する必要はないが、水枯れすると、茶色っぽくなり美観を損なうこととなる。この美観を保つためには、ときどきはコケ２２に給水する必要がある。このため、図６に示すように、パネル１２１の天端に、小孔１２３が開けられた給水用ホース１２４を取り付ける。そして、給水用ホース１２４により給水された水を小孔１２３を介して、コケ２２全体に均等に給水されるようにする。この給水は、日照りが続いた時等、コケ２２が水枯れした時に実施される。
【００４７】
また、図７に示すように、直立壁面１１１に傾斜を有するあて板１３１を取り付け、あて板１３１にコケマット７１，１０１を取り付けて、コケマット７１，１０１をパネル１２１に対して傾けて取り付ければ、水を下方に流れにくくすることができるため、コケマット７１，１０１の保水力を向上させることができる。
【００４８】
以上のように、参考実施形態の直立壁面１１１の緑化工法によれば、予め生育させたコケ２２を稲の根絡み５２ｂ’’に絡ませて固定したコケマット７１，１０１を直立壁面１１１に取り付けるので、直立壁面１１１を時間をかけずに緑化することができる。
【００４９】
また、以上のように、参考実施形態の直立壁面１１１の緑化工法によれば、コケ２２を稲の根絡み５２ｂ’’に絡ませて固定させるため、稲の芽５２ａは必要とされず、肥料の補給、刈り込み等の維持を必要としないので、維持費がかからない。
【００５０】
さらに、以上のように、参考実施形態の直立壁面１１１の緑化工法によれば、コケ２２が固定されたコケマット７１，１０１を直立壁面１１１の近傍に設置されたパネル１２１に取り付けるので、取り付けたコケ２２の厚みと全体の見かけの空洞によるクッション効果により、防音効果を発揮することができ、防音壁として使用することができる。
【００５１】
さらに、以上のように、参考実施形態の直立壁面１１１の緑化工法によれば、直立壁面１１１の近傍に設置されたパネル１２１にコケマット７１，１０１を取り付けるので、各段階の遷移相の生態系を復元、回復、改善することができる。
【００５２】
なお、参考実施形態の直立壁面１１１の緑化工法において使用されたパネル１２１の代わりに防音パネルを使用すれば、より防音効果を高めることができる。
【００５３】
また、参考実施形態の直立壁面１１１の緑化工法においては、コケ２２を絡ませるのに、稲の種子を使用したが、これに限らず、芝の種子等、地下で根が成長する種子植物の種子であれば使用することができる。
【００５４】
【発明の効果】
以上のように、参考実施形態に係る無機質面の緑化工法によれば、無機質面に付着基盤を設け、種子が混合された土砂を吹き付け、その上にコケ植物を吹き付け、コケ植物に種子から伸び出した根を絡ませ、コケ植物を無機質面に固定させるので、時間をかけずに、維持を必要とすることなく、無機質面を緑化することができる。また、防音効果を高めることができ、防音壁としても使用することができる。さらに、無機質面にコケ植物が固定されているので、各段階の遷移相の生態系を復元、回復、改善することができる。
【００５５】
また、参考実施形態に係る無機質面の緑化工法によれば、コケ植物マットを無機質面の近傍に設置するので、時間をかけずに、維持を必要とすることなく、無機質面を緑化することができ、防音壁として使用することができる。さらに、直立壁面の近傍にコケ植物マットを設置するので、各段階の遷移相の生態系を復元、回復、改善することができる。
【図面の簡単な説明】
【図１】  参考実施形態である斜面１の緑化工法を説明する工程図である。
【図２】  参考実施形態である斜面１の緑化工法に使用される吹付装置３１を示す図である。
【図３】  本発明の実施の形態である直立壁面１１１の緑化工法に使用されるコケマット７１の製造方法を説明する工程図である。
【図４】  参考実施形態である直立壁面１１１の緑化工法に使用されるコケマット１０１の製造方法を説明する工程図である。
【図５】  参考実施形態である直立壁面１１１の緑化工法に使用されるコケマット７１，１０１のパネル１２１への取り付け方法を示す図である。
【図６】  参考実施形態である直立壁面１１１の緑化工法における、パネル１２１に取り付けられたコケマット７１，１０１への給水方法を説明する図である。
【図７】  参考実施形態である直立壁面１１１の緑化工法に使用されるコケマット７１，１０１のパネル１２１への他の取り付け方法を説明する図である。
【図８】  従来の斜面１４１又は直立の壁面１６１の緑化工法を説明する図である。
【符号の説明】
１ 斜面
１１ からみ材
１２  芝の種子
１２ａ  芽
１２ｂ  根
１３  土砂
２２  コケ（の葉緑体）
２３  保水材
３１  吹付装置
４１  圧送ポンプ
４２  コンプレッサ
４３  圧送ホース
４４  吹付ノズル
４５  繊維の送り出し機
４６  給糸装置
４７  繊維供給管
４８  水槽
４９  水ホース
５１，５１’，５１’’，８１  育苔パレット
５２  稲の種子
５２ａ  芽
５２ｂ  根
５２ｂ’，５２ｂ’’  稲の根絡み
５３，５３’，５３’’  土砂
６１  根マット
６２，９１  根絡みマット
７１，１０１  コケマット
１１１  直立壁面
１２１  パネル
１２２  ビス
１２３  小孔
１２４  給水用ホース
１３１  あて木
１４１  斜面
１５１  法枠
１５２  枠内
１５３  草
１５４  槽
１５５  木
１６１  直立の壁面
【図１】
0004249859.tif 000002
【図２】
0004249859.tif 000003
【図３】
0004249859.tif 000004
【図４】
0004249859.tif 000005
【図５】
0004249859.tif 000006
【図６】
0004249859.tif 000007
【図７】
0004249859.tif 000008
【図８】
0004249859.tif 000009